(57)【要約】【課題】コンパクトで省スペースなアンテナ装置【解決手段】アンテナを具備したアンテナ基部と，アンテナからの給電線の収納部と，前記アンテナの出力の増幅回路とからなる信号増幅部を具備した増幅基部とからなり，アンテナ基部と増幅基部とは各基部の長手方向における一方側において，各基部が直交配置される位置に着脱自在に固着され，前記アンテナ基部には，前記増幅基部の長手方向と平行な一側面の任意の位置であって，前記増幅基部の配置方向に前記側面の端部から少なくとも１つの係止片を突設させ，前記増幅基部には，前記アンテナ基部の長手方向と平行な一側面の任意の位置であって，前記アンテナ基部の配置方向に前記側面の端部から係止片を突設させ，前記係止片に対向する位置に配置した挟持片を備え，夫々の略中央部において枢着し，発条によって常に一端を閉じるように押圧する挟み器を具備した。【選択図】  図１
2005354216.tif 000002
【特許請求の範囲】
【請求項１】
アンテナ装置において，
当該アンテナ装置は，異なる周波数帯を受信するために，少なくとも２つのアンテナを具備したアンテナ基部と，
当該アンテナからの給電線を収納する収納部と，前記アンテナの出力を所定レベルまで増幅する増幅回路とからなる信号増幅部を具備した増幅基部とからなり，
前記信号増幅部は，外部からの直流電流を供給することで動作するか，若しくは給電線に重畳された直流電流で動作するよう構成され，
前記アンテナ基部と前記増幅基部とは，各基部の長手方向における一方側において，各基部が直交配置される位置に着脱自在に固着されるよう構成され，
前記アンテナ基部には，前記増幅基部の長手方向と平行な一側面の任意の位置であって，前記増幅基部の配置方向に前記側面の端部から少なくとも１つの係止片を突設させ，
前記増幅基部には，前記アンテナ基部の長手方向と平行な一側面の任意の位置であって，前記アンテナ基部の配置方向に前記側面の端部から少なくとも１つの係止片を突設させ，
前記係止片のうち少なくとも１つは，当該係止片とこの係止片に対向する位置に配置した挟持片とを備え，夫々の略中央部において枢着し，発条によって常に一端を閉じるように押圧する挟み器を構成したことを特徴としたアンテナ装置。
【請求項２】
前記増幅基部に形成した給電線収納部には，回転操作によって任意の長さの給電線を巻き取り収納可能な給電線収納手段が具備されたことを特徴とした請求項１に記載のアンテナ装置。
【請求項３】
前記信号増幅部はシールドケースに収納されたことを特徴とした請求項１又は請求項２に記載のアンテナ装置。
【請求項４】
前記アンテナはＶＨＦ帯受信用とＵＨＦ帯受信用のアンテナであることを特徴とした請求項１乃至請求項３の何れかに記載のアンテナ装置。
【発明の詳細な説明】
【技術分野】
【０００１】
本発明は，主にアンテナ及び当該アンテナで受信した信号を増幅する増幅回路を備えた小型の可搬型のアンテナ装置に関する。
【背景技術】
【０００２】
パーソナルコンピューター（以下，パソコンと記載する。）の普及は目覚しく，特に近年においてはテレビチューナーを内蔵させて，テレビ放送を受信できるようにしたものが一般的となってきた。この場合，テレビ信号は屋外に設置されたアンテナ装置から伝送線を介して宅内に引き込まれ，宅内に設置されたテレビ端子から例えば同軸ケーブル等を介して接続したり，室内用の小型のアンテナ装置を設置したりすることで，パソコンと接続することで視聴していた。（例えば，特許文献１参照）
【０００３】
【特許文献１】実公平６−１４４８６号公報
【発明の開示】
【発明が解決しようとする課題】
【０００４】
しかし，従来の受信形態によると，テレビ端子から同軸ケーブルを引き回す方法では，パソコンの設置場所によっては室内の美観を損なうものであり，また，設置に際して，テレビ受像機と信号の分配をする必要があったり，同軸ケーブルの加工を必要としたりと言ったことを考慮する必要があり，設置が難しいといった問題があった。また，一般的に売られているテレビ受像機用の室内アンテナは，その設置性は容易であるものの，パソコンの周辺に設置場所を確保する必要が生じ，アンテナの設置場所を含めて占有面積が大きくなるといった問題があった。
そこで本願においては，こうした問題点を解決するためになされたものであり，
その目的は，省スペース化のできるアンテナ装置を提供することにある。
他の目的は，電子機器に着脱自在に載置可能なアンテナ装置を提供することにある。
他の目的は，アンテナと増幅部とが別体若しくは連結可能なアンテナ装置を提供することにある。
他の目的は，使用時には安定して取付けが可能で，可搬時には更にコンパクトにできるアンテナ装置を提供することにある。
他の目的は，ＶＨＦ及びＵＨＦ帯の信号を受信するのに適した小型のアンテナ装置を提供することにある。
【課題を解決するための手段】
【０００５】
上記課題を解決するために，請求項１の発明は，アンテナ装置において，
当該アンテナ装置は，異なる周波数帯を受信するために，少なくとも２つのアンテナを具備したアンテナ基部と，当該アンテナからの給電線を収納する収納部と，前記アンテナの出力を所定レベルまで増幅する増幅回路とからなる信号増幅部を具備した増幅基部とからなり，前記信号増幅部は，外部からの直流電流を供給することで動作するか，若しくは給電線に重畳された直流電流で動作するよう構成され，前記アンテナ基部と前記増幅基部とは，各基部の長手方向における一方側において，各基部が直交配置される位置に着脱自在に固着されるよう構成され，前記アンテナ基部には，前記増幅基部の長手方向と平行な一側面の任意の位置であって，前記増幅基部の配置方向に前記側面の端部から少なくとも１つの係止片を突設させ，前記増幅基部には，前記アンテナ基部の長手方向と平行な一側面の任意の位置であって，前記アンテナ基部の配置方向に前記側面の端部から少なくとも１つの係止片を突設させ，前記係止片のうち少なくとも１つは，当該係止片とこの係止片に対向する位置に配置した挟持片とを備え，夫々の略中央部において枢着し，発条によって常に一端を閉じるように押圧する挟み器を具備した。
【０００６】
請求項２の発明は，請求項１に記載のアンテナ装置において，前記増幅基部に形成した給電線収納部には，回転操作によって任意の長さの給電線を巻き取り収納可能な給電線収納手段が具備される。
【０００７】
請求項３の発明は，請求項１又は請求項２に記載のアンテナ装置において，前記信号増幅部はシールドケースに収納される。
【０００８】
請求項４の発明は，請求項１乃至請求項３に記載のアンテナ装置は，ＶＨＦ帯受信用とＵＨＦ帯受信用のアンテナであるように構成される。
【発明の効果】
【０００９】
請求項１の発明によれば，アンテナ装置において，当該アンテナ装置は，異なる周波数帯を受信するために，少なくとも２つのアンテナを具備したアンテナ基部と，当該アンテナからの給電線を収納する収納部と，前記アンテナの出力を所定レベルまで増幅する増幅回路とからなる信号増幅部を具備した増幅基部とからなり，前記信号増幅部は，外部からの直流電流を供給することで動作するか，若しくは給電線に重畳された直流電流で動作するよう構成され，前記アンテナ基部と前記増幅基部とは，各基部の長手方向における一方側において，各基部が直交配置される位置に着脱自在に固着されるよう構成され，前記アンテナ基部には，前記増幅基部の長手方向と平行な一側面の任意の位置であって，前記増幅基部の配置方向に前記側面の端部から少なくとも１つの係止片を突設させ，前記増幅基部には，前記アンテナ基部の長手方向と平行な一側面の任意の位置であって，前記アンテナ基部の配置方向に前記側面の端部から少なくとも１つの係止片を突設させ，前記係止片のうち少なくとも１つは，当該係止片とこの係止片に対向する位置に配置した挟持片とを備え，夫々の略中央部において枢着し，発条によって常に一端を閉じるように押圧する挟み器を具備したので，
アンテナ装置を使用する基本的な仕様状態においては，アンテナ基部と増幅基部とが，それらの間において信号を伝送する給電線を増幅基部に備えた給電線収納部に収容しつつ，相互に連結されることで，このアンテナ装置を取り付ける例えばノート型パーソナルコンピューターのような電子機器に対して，その液晶モニタの上角部に簡単に載置することができる。またこれによってアンテナ装置とノートパソコンに備えたＲＦ入力端子とを最短の伝送線で接続できることになり，無駄な伝送損失を生じないため更に安定した受信ができると共に，ノートパソコン周辺にアンテナ装置を置くスペースを確保する必要がなく，設置の容易性においても優れたアンテナ装置を提供できる。
また，例えばパソコンから漏洩している電波によって，テレビ受信に妨害を与えるような場合や，アンテナの設置スペースが充分取れる場合においては，アンテナ基部と増幅基部を別体となるように取り外すことこともでき，前記増幅基部の給電線収納部に収納された給電線を引き出すことによって，増幅基部はパソコンに取り付けたまま，アンテナ基部をパソコン本体から離して設置することができ，これによって妨害波に影響されない安定した受信を行えるアンテナ装置を提供できるのである。
またこのいずれの場合においても，アンテナ装置に具備された信号増幅装置にはパソコンのＵＳＢ端子から電源供給することもでき，外付けのＡＣアダプター等の電源装置を必要としないので，ノートパソコンの設置場所が限定されることが無い汎用性の高いアンテナ装置を提供できるのである。
更に，アンテナを使用しない場合や，製品出荷時のような場合には，アンテナ基部と増幅基部とを別体に取り外すことで，このアンテナ装置の収納時にスペースを取られないといった取扱性が良く，加えて出荷時の梱包材料が小さくて済みこれによって製品のコストが安くなる，といった優れた特長を有するアンテナ装置を提供することができる。
【００１０】
請求項２の発明によれば，請求項１に記載のアンテナ装置において，前記増幅基部に形成した給電線収納部には，回転操作によって任意の長さの給電線を巻き取り収納可能な給電線収納手段が具備したので，
例えばアンテナ基部と増幅基部とを取り外して使用する場合でも，給電線が前記給電線収納手段から容易に任意の長さに引き出し可能となり，すっきりと配線可能なアンテナ装置を提供できるのである。また，アンテナ基部と増幅基部とを合体した状態で使用する場合は，アンテナからの給電線を前記給電線収納手段により，指先等の簡単操作で巻き取ることで給電線収納部に容易に収納でき，取扱性の良いアンテナ装置が提供できるのである。
【００１１】
請求項３の発明によれば，請求項１又は請求項２に記載のアンテナ装置において，前記信号増幅部はシールドケースに収納したので，
アンテナ装置を取り付ける例えばノート型パーソナルコンピューターのような電子機器から出る妨害波に対して，その妨害波を排除でき安定した信号の受信ができるアンテナ装置を提供できるのである。
【００１２】
請求項４の発明によれば，請求項１乃至請求項３の何れかに記載のアンテナ装置において，ＶＨＦ帯受信用とＵＨＦ帯受信用のアンテナであるように構成したので，
例えばノート型パーソナルコンピューターでＴＶ放送を受信するのに最適なアンテナ装置を提供することができる。
【発明を実施するための最良の形態】
【００１３】
以下に，本発明を具体化したアンテナ装置の実施形態の例を，図面を基に詳細に説明する。
図１は本願の実施例を示す図であり，（ａ）は正面図，（ｂ）は側面図，（ｃ）は上面図を示す。図２は側面から見た一部分解図である。図３は図２の組立図である。図４は本願に係るアンテナ装置の使用例を示す。
尚，以下の説明では特に明記しない限り，図１においてアンテナの立設方向を上方向とした時の状態を基準として位置の説明を行う。
【実施例１】
【００１４】
図１，図２，図３は本願に係るアンテナ装置１の実施例を示すものであり，この図において１０はアンテナ基部であり，２０は増幅基部である。
本願の実施例ではアンテナ基部１０にはＶＨＦ用のロッドアンテナ２と，アンテナ基部１０の内部に配設された図示されていないＵＨＦ用のアンテナとが備えられており，ＶＨＦとＵＨＦ帯域のテレビ信号を受信することができるように構成されている。アンテナ基部１０は合成樹脂材で金型成形されたものであり，前記ロッドアンテナ２が，相互に所定間隔離れた位置にあって，上方に向かって配設されるよう横長で，断面略四角形状に成形されており，当該アンテナ基部１０の内部にはＵＨＦ用のアンテナであって，例えばアンテナ素材としての導電線材を用いフォールデッドダイポールを構成するよう所定の形状に配設できる空間が備えさせてある。
尚，本願の実施例では詳細は図示されていないが，このアンテナ基部１０は例えば一端を開口したアンテナ基部箱体１２とこの開口部を封鎖するアンテナ基部蓋体１３とから構成するように，前後方向に２つの部材から構成している。
【００１５】
更に前記アンテナ基部１０の一方側であって，前記ロッドアンテナ２の取付面と対向する面，所謂アンテナ基部１０の下面側には固着部４０が一体に形成されている。この固着部４０は，以下に説明する増幅基部２０を任意の方法によって着脱自在に固着できるように固着手段が備えられている。更にこの固着部４０の内部には，前記ロッドアンテナ２と，図示されていないフォールデッドダイポールからの信号を合成して引き出す給電線１５が配設される空間が形成されている。また前記固着部４０の下端部には，固着部４０の内部に形成された空間と連設させて，前記給電線１５を引き出すことができる引出孔が形成されている。
【００１６】
また，アンテナ基部１０の他方側であって，アンテナ基部１０の前方向（例えば，アンテナ基部箱体１２）と後方向（例えば，アンテナ基部蓋体１３）の側面下端部から下方向に突設させた少なくとも２つの係止片１２ａ，１３ａが延設されている。
この係止片１２ａと１３ａ（１２ａと相対向する位置に形成されており図面には示されていない。）との前後方向間隔は相互に所定寸法だけ離して成形されていると共に，左右方向に対しては，同じ位置関係にあっても良いし，相互に任意の間隔離れた位置となるように成形されている。
【００１７】
次に増幅基部２０について説明する。本願の実施例では増幅基部２０の内部には，前記アンテナ基部１０に具備したアンテナからの給電線１５を所定の長さだけ収納可能な給電線収納部２０ａと，引き込まれた信号を所定レベルまで増幅する増幅回路を備えた信号増幅部２１を収納する収納部２０ｂと，信号増幅基２１の出力に接続された伝送線等を収納する引出部２０ｃが備えられている。
尚，この増幅基部２０は，例えば一端を開口した増幅基部箱体２２と，この開口部を封鎖する増幅基部蓋体２３とから構成するように，前後方向に２つの部材を嵌合させることによって前記各部の空間を構成している。
本願の実施例によれば，増幅基部２０は合成樹脂材で金型成形されたものであり，この増幅基部２０の一方側側面には，前記アンテナ基部１０の引出孔から引き出された前記アンテナからの給電線１５を導入するための孔であり，前記給電線収納部２０ａに連設させた導入孔が形成されると共に，前記固着部４０に着脱自在に固着させるための係止爪４０ａ，４０ｂが形成されている。
【００１８】
更に，この増幅基部２０の内部構成は，前記給電線１５の導入孔に連設させ，給電線を導入するための前記給電線収納部２０ａと，前記信号増幅部２１を収納する収納部２０ｂと，前記信号増幅部２１から引き出され，当該信号増幅部２１で増幅された信号を伝送する伝送線２６や，信号増幅部２１に電源を供給するための接続線２５を引き出すための引出部２０ｃが直線方向に配設されるよう各空間が備えられており，これによって増幅基部２０は上下方向に縦長で，断面略四角形状に成形されている。
更に増幅基部２０には，増幅基部箱体２２の側には５５ａで示す枢着孔が，増幅基部蓋体２３の側には５２ａで示す枢着孔が形成されており，この枢着孔５５ａと５２ａは相対向する位置に配設してあり，後述の給電線収納手段５０の軸体５１を枢着するためのものである。
【００１９】
また，増幅基部２０の他方側であって，増幅基部２０の後方向（例えば，増幅基部蓋体２３）の側面右側端部から右方向に突設させた少なくとも１つの係止片２３ａが延設されている。
前記係止片２３ａには，当該係止片２３ａとこの係止片２３ａに対向する位置に配置した挟持片３２とを備え，夫々の略中央部において枢着し，発条によって常に一端を閉じるように押圧する挟み器３０を構成している。
この挟み器３０は，本願の実施例によれば増幅基部２０に一ヶ所設ける例を示したがこれに限定されるものではなく，複数個設けても良いことは言うまでも無い。
【００２０】
次に，前記給電線収納部２０ａについて詳細に説明する。本願に係る実施例では，この給電線収納部２０ａには給電線収納手段５０が具備されている。
この給電線収納手段５０は，前記給電線１５を巻き取り可能に形成した軸体５１と，当該軸体５１の一方側（本願の実施例では増幅基部蓋体２３側。）に形成した回転ツマミ５２と，軸体５１の他方側に具備した図示されていない接続コネクタとからなる。
前記回転ツマミ５２は，給電線を軸体５１に巻き取るために指先等で操作可能なように外周面には凹凸手段が形成されたツマミ部５３と，当該ツマミ部５３と軸体５１との接合部に形成され，前記ツマミ部５３より外周径の大きい当接部５４とからなる。
【００２１】
接続コネクタは軸体５１の内部で，前記給電線１５の先端部と接続される構成となっている。
この接続コネクタには前記信号増幅部２１の入力側に接続された同軸ケーブル１６を接続するのであるが，この同軸ケーブル１６の先端部にはＦ型プラグ５５が組み付けられており，このＦ型プラグを前記接続コネクタに接続することによって，アンテナで受信した信号を信号増幅部２１に入力するのである。
前記Ｆ型プラグ５５は，外形が軸体５１の軸線と同一軸線を有した円形に形成されており，更にこのＦ型プラグの接続部側周縁には，外周径より大きく形成された鍔部５６が形成されている。
【００２２】
次に，信号増幅部２１について説明する，本願の実施例の信号増幅部２１は，前記アンテナにおいて受信された信号が給電線１５，１６を介して入力され，当該信号を所定レベルまで増幅するＶＨＦ・ＵＨＦ増幅回路がプリント配線板上に配設されている。また本願の信号増幅部２１は，外部からの妨害信号が増幅回路等に妨害を与えることのないように，金属材料等を折り曲げ成形したシールドケース２１ａに収納させた構成となっている。
【００２３】
この信号増幅部２１の出力側には，この信号増幅器２１の出力側に一方を接続すると共に，他方にはこのアンテナ装置が設置される対象物の接続端子に対応した接続端子を具備した，出力信号の伝送線２６や電源線２５等が接続される。
【００２４】
尚，本願の実施例のアンテナ装置１が設置される対象物の好適な例として，ノート型のパーソナルコンピューター（以下，ノートパソコンと記載する。）があり，このノートパソコンと接続するためには，アンテナ装置１とノートパソコンとを接続する伝送線２６は同軸ケーブルであり，その開放された端部には，前記ノートパソコンに対応した例えばミニプラグ２６ａが備えさせてあり，前記アンテナ装置１に電源供給する電源線２５の開放端部には，ノートパソコンのＵＳＢ端子から電源供給を受けるためのＵＳＢ端子２５ａが備えさせてある。
尚，この実施例に限定されるものではなく，例えば増幅基部２０の周面の何れかの位置に，外部から内部に収納した信号増幅器２１に電源供給可能なように電源供給端子を設け，ＡＣアダプターのような外付けの電源供給器から電源供給するように構成しても良い。また，前記同軸ケーブル２６に電源重畳して給電するように，前記同軸ケーブル２６に電源挿入器を設け，当該電源挿入器からＡＣアダプター等を介して電源供給するように構成しても良い。
【００２５】
次に，このように構成された給電線収納手段５０と信号増幅部２１とを増幅基部２０に収納する方法について説明する。アンテナ基部１０から引き出された所定長さの給電線１５を，前記給電線収納手段５０の軸体５１に巻き付けて，軸体５１内で接続コネクタと接続する。次に，信号増幅部２１の入力側に接続された同軸ケーブル１６の先端に備えられたＦ型プラグ５５を前記接続コネクタに接続する。このＦ型プラグ５５の閉端部側の周径と前記増幅基部箱体２２に形成した枢着孔５５ａとは嵌合するように形成されており，前記Ｆ型プラグ５５の閉端部を枢着孔５５ａに挿着しながら，給電線収納手段５０を増幅基部箱体２２の側の給電線収納部２０ａに収納すると共に，同軸ケーブル１６と信号増幅部２１を信号増幅部２１の収納部２０ｂに収納し，当該信号増幅部２１の出力に接続された伝送線２６および電源線２５を引出部２０ｃに収納する。
【００２６】
次に前記給電線収納手段５０の軸体に備えた操作ツマミ５２のツマミ部５３の外周径は，前記増幅基部蓋体２３に形成された枢着孔５２ａと嵌合するように形成されており，このツマミ部５３と枢着孔５２ａを挿着させながら，給電線収納手段５０の反対側を増幅基部箱体２３の側の給電線収納部２０ａに収納すると共に，同軸ケーブル１６と信号増幅部２１を信号増幅部２１の収納部２０ｂに収納し，当該信号増幅部２１の出力に接続された伝送線２６および電源線２５を引出部２０ｃに収納するよう，増幅基部箱体２２と増幅基部蓋体２３を固着するのである。
【００２７】
このとき，前記Ｆ型プラグ５５に備えた鍔部５６の外方向を向いた側面と，前記増幅基部箱体２２の内面とが当接するかしないかの寸法になるように嵌合させると共に，前記操作ツマミ５２に備えた当接部５４の外方向の側面と，前記増幅基部蓋体２３の内面とが当接するかしないかの寸法になるように嵌合させることによって，前記給電線収納手段５０が増幅基部２０の外側から回転ツマミ５２を回転操作させることで給電線を巻き取りしたり，引き出したりすることができると共に，給電線収納手段５０の前後方向に対する動きが制限され僅かなものとなり，給電線１５を給電線収納手段５０に容易に収納できる構成されている。
更に，Ｆ型プラグ５５の鍔部５６と前記増幅基部箱体２２の内面側とが当接するかしないかの寸法に嵌合されているので，前記Ｆ型プラグ５５が接続コネクタに対して抜け防止となると共に，当該接続コネクタに対して回転自在となるような寸法に構成されているので，給電線収納手段５０の回転操作によって給電線１５の巻き取りや引出のさいに，給電線１６が捩れることなく，受信信号を信号増幅器２１に伝送できるのである。
【００２８】
次に，このように組み付けられた増幅基部２０は，当該増幅基部１０の一方の側に成形された係止爪４０ａ，４０ｂを，前記アンテナ基部１０の固着部４０の挿着することで固定することができる。また，この固着部４０と係止爪４０ａ，４０ｂとは取り外せるようにも構成されており，アンテナ基部１０と増幅基部２０は着脱自在な構成となっている。
【００２９】
このように構成されたアンテナ装置１について，実際に使用する例について詳細に説明する。このアンテナ装置１は上述のように，アンテナ基部１０と増幅基部２０とは着脱自在に固着されているので，製品出荷の状態にあるときや，持ち運ぶ時，収納時などの場合，アンテナ基部１０と増幅基部２０とを外した状態にすれば，その外形寸法が小さくなるようにでき，出荷時の場合には，梱包材の削減が可能となり，延いては製品単価の低減化ができる。
またユーザーの立場で考えれば，このアンテナ装置を携帯したり，未使用時に収納したりするときなどの場合において，省スペースとなり使い勝手の良いアンテナ装置が提供できるのである。                            
【００３０】
次に，このアンテナ装置１を用いる最適な例として，テレビチューナーを内蔵したノート型のパーソナルコンピューターでもって，ＶＨＦとＵＨＦのテレビ信号を受信するために使用する例を説明する。
先ず，本願の実施例に示すアンテナ装置１のアンテナ基部１０と増幅基部２０とを相互に直交するように取り付けた状態にする。次にノートパソコンの液晶モニタを開いて使用する状態にしてから，当該液晶モニタの左上にアンテナ装置１のアンテナ基部１０の下面と増幅基部２０の右側側面とが，液晶モニタの上面と側面とに当接するように載置するのである。このとき液晶モニタの上面が，前記アンテナ基部１０の前側面と後側面の下端部から下方向に延設された係止片１２ａ，１３ａとの間に位置すると共に，液晶モニタの左側面を，前記増幅基部２０に具備された挟み器３０で挟持するように取り付けるのである。このようにアンテナ装置１をノートパソコンに取り付けたのならば，前記アンテナ装置１から引き出された伝送線２６を，ノートパソコンのＲＦ入力端子に接続すると共に，前記アンテナ装置１に内蔵させた信号増幅部２１に電源を供給するための電源線２５を，ノートパソコンのＵＳＢ端子に接続する。
【００３１】
このように本願のアンテナ装置１によれば，製品出荷の状態にあるときや，持ち運ぶ時，収納時などの場合，アンテナ基部１０と増幅基部２０とを取り外した状態にすれば，その外形寸法が小さくでき，出荷時の梱包材の削減が可能となり，延いては製品単価の低減化ができるアンテナ装置が提供できる。
またユーザーの立場で考えれば，このアンテナ装置１を携帯したり，未使用時に収納したりするときなどの場合において，省スペースとなり使い勝手の良いアンテナ装置が提供できる。
また使用の状態にいては，アンテナ基部１０と増幅基部２０とを組み付けた状態に変形させて，例えばノートパソコンの液晶モニタ等の上面角部に容易に載置できることから，ノートパソコンでテレビを見るような場合に，例えば室内に設置されたテレビ端子から同軸ケーブルを引き回す必要も無く，簡単にテレビを見ることができるといった設置の容易性を有したアンテナ装置を提供できる。
【００３２】
また，従来のテレビ受信用の室内アンテナを使用してテレビを見るような場合と比較しても，本願のアンテナ装置１を用いることにより，例えばノートパソコンを置く場所さえあれば，アンテナ装置１を設置する場所を新たに設けたり検討したりすることも必要が無く，スペースを有効に利用してノートパソコンを利用できるといった有効性の高いアンテナ装置を提供できるのである。
【００３３】
更にまた，例えばパソコンから漏洩している電波によって，テレビ受信に妨害を与えるような場合においては，アンテナ基部１０と増幅基部２０を別体となるように取り外し，前記増幅基部２０の給電線収納部２０ａに収納された給電線を引き出すことによって，増幅基部２０はパソコンに取り付けたまま，アンテナ基部１０をパソコン本体から任意の距離だけ離して設置することができ，これによって妨害波に影響されない安定した受信を行えるアンテナ装置としても使用できるアンテナ装置を提供できるのである。
尚，本発明は上記実施の形態に限定されるものではなく，例えば液晶やプラズマディスプレーのような薄型テレビ受信機に対応させてもよいなど，本発明の趣旨を逸脱しない範囲で各部の構成を適宜に変更して実施することも可能である。
【図面の簡単な説明】
【００３４】
【図１】本願の実施例を示す図であり，（ａ）は正面図，（ｂ）は側面図，（ｃ）は上面図を示す。
【図２】本願に係るアンテナ装置の要部拡大分解図である。
【図３】本願に係るアンテナ装置の要部拡大組立図である。
【図４】本願に係るアンテナ装置の使用例を示す。
【符号の説明】
【００３５】
１…アンテナ装置，２…ロッドアンテナ，１０…アンテナ基部，１２…アンテナ基部箱体，１２ａ…係止片，１３…アンテナ基部蓋体，１３ａ…係止片，１５・１６…給電線，２０…増幅基部，２０ａ…給電線収納部，２０ｂ…信号増幅部収納部，２０ｃ…引出部，２１…信号増幅部，２１ａ…シールドケース，２２…増幅基部箱体，２３…増幅基部蓋体，２３ａ…係止片，２５…電源線，２５ａ…ＵＳＢ端子，２６…同軸ケーブル，２６ａ…ミニプラグ端子，４０…固着部，４０ａ・４０ｂ…係止爪，５０…給電線収納手段，５１軸体，５２…回転ツマミ，５２ａ…挿着孔，５３…ツマミ部，５４…当接部，５５…Ｆ型プラグ，５６…鍔部
【図１】
2005354216.tif 000003
【図２】
2005354216.tif 000004
【図３】
2005354216.tif 000005
【図４】
2005354216.tif 000006